(57)【要約】  大電力信号からの寄与分とそれより電力が小さい信号からの寄与分とを含む合成受信信号の大電力高速データ信号からの干渉を除去する、無線受信方法および無線受信装置。大電力信号を正しく受信したかどうかをまず判定する（４３）。大電力信号を正しく受信したかどうかを判定するために、ＣＲＣチェックサムを使用してもよい。その後、大電力信号を正しく受信した場合だけ、大電力信号の寄与分が受信信号から取り除かれる（４４）。大電力信号の寄与分は、チェックサムの全ビットが正しい場合、受信信号から大電力信号の寄与分を硬減算（１６３）することにより、またチェックサムの全てではないがほとんどのビットが正しい場合、受信信号から大出力信号の寄与分を軟減算（１７８）することにより、取り除かれてもよい。
2008537436.tif 000002
【特許請求の範囲】
【請求項１】
無線受信装置において使用され、第１のユーザ信号からの寄与分と第２ユーザからの信号の寄与分とを含む合成信号に内包されて受信された該第１のユーザ信号から干渉を除去する方法であって、
前記第１のユーザ信号が正しく受信されたか否かを判定する判定ステップ（４３）と、
前記第１のユーザ信号が正しく受信されたと判定されたときにだけ前記合成信号から前記第１のユーザ信号の寄与分を取り除く除去ステップ（４４）と
を含むことを特徴とする方法。
【請求項２】
前記第１のユーザ信号は相対的に大電力の信号であり、前記第２のユーザ信号は該第１のユーザ信号の電力と比較して相対的に小電力の信号であることを特徴とする請求項１に記載の方法。
【請求項３】
前記第１のユーザ信号は、巡回冗長検査（ＣＲＣ）のチェックサムを含んでおり、前記判定ステップは、前記ＣＲＣのチェックサムが正しいか否かを判定するステップを含むことを特徴とする請求項２に記載の方法。
【請求項４】
前記ＣＲＣのチェックサムは複数のビットを含み、各ビットは値を有し、
前記除去ステップは、
前記チェックサムに含まれているすべてのビットが正しい値であれば、受信した前記合成信号から前記第１のユーザ信号の寄与分を硬減算するステップと、
前記チェックサムに含まれているビットのいくつかが正しい値でなければ、受信した前記合成信号から前記第１のユーザ信号の寄与分を軟減算するステップと
を含むことを特徴とする請求項３に記載の方法。
【請求項５】
前記第１のユーザ信号を除去するのに先立って、前記ＣＲＣのチェックサムが正しいと判定されると、前記第１のユーザ信号を再組立するステップをさらに含むことを特徴とする請求項３に記載の方法。
【請求項６】
前記第１のユーザ信号と前記第２のユーザ信号とも単一のユーザに属した信号であり、該単一のユーザは、大電力で高速データレートチャネルと相対的に小電力でチャネルとを送信しているユーザであり、
前記方法は、
前記大電力の高速データレートチャネルの信号を再符号化してシンボルを生成するステップと、
前記大電力の高速データレートチャネルの信号のシンボルをパイロットシンボルとして利用して、前記大電力の高速データレートチャネルを送信したユーザと同一のユーザから送信されてきた前記小電力のチャネルの信号を検出するのに役立てるためにチャネル係数の推定値を改善するステップと
を含むことを特徴とする請求項２に記載の方法。
【請求項７】
前記無線受信装置は汎用ＲＡＫＥ（Ｇ−Ｒａｋｅ）受信機であって、前記合成信号は、受信電力レベルが変動する複数の信号からの寄与分を含んでおり、前記第１のユーザ信号は前記複数の信号のうちで電力がの信号であり、
前記方法は、
前記Ｇ−Ｒａｋｅ受信機のパラメータを調整して前記第１のユーザ信号を除外するステップと、
残っている干渉に関連した干渉統計値を推定するステップと、
前記干渉統計値を使用して前記残っている干渉を抑圧するステップと
を含むことを特徴とする請求項１に記載の方法。
【請求項８】
前記第１のユーザ信号が正しく受信されていないと判定されたときは該第１のユーザ信号の寄与分を維持するステップと、
前記第１のユーザ信号に関連した干渉統計値を推定するステップと、
推定された前記干渉統計値を使用して前記第１のユーザ信号を抑圧するステップと
を含むことを特徴とする請求項７に記載の方法。
【請求項９】
所与のユーザから受信した小電力の信号を処理する汎用ＲＡＫＥ（Ｇ−Ｒａｋｅ）受信機において使用され、受信電力レベルが変動する複数の信号からの寄与分を含んだ合成信号における大電力の信号から干渉を除去する方法であって、前記複数の信号は、干渉を及ぼすユーザからの大電力の信号、前記所与のユーザからの前記小電力の信号及び前記所与のユーザからの前記大電力の信号を含み、
前記方法は、
前記所与のユーザの前記大電力の信号を初期復調し、前記所与のユーザの前記大電力の信号の寄与分を、受信した前記合成信号から取り除くステップ（１２１）と、
前記干渉を及ぼすユーザからの大電力の信号を正しく受信できたか否かを判定するステップ（１２２）と
前記干渉を及ぼすユーザからの大電力の信号を正しく受信できなかったと判定されたときに、
・前記干渉を及ぼすユーザからの大電力の信号に関連した干渉統計値を推定するステップ（１２４）と、
・前記干渉統計値を使用して、前記所与のユーザからの前記小電力の信号を復調する際に前記干渉を及ぼすユーザからの大電力の信号を抑圧するステップ（１２５）と、
前記干渉を及ぼすユーザからの大電力の信号を正しく受信できたと判定されたときに、
・受信した前記合成信号から前記干渉を及ぼすユーザからの大電力の信号の寄与分を取り除くステップ（１２６）と、
・残っている干渉に関連した干渉統計値を推定するステップ（１２８）と、
・推定された前記干渉統計値を使用して、前記所与のユーザからの前記小電力の信号を復調する際に前記残っている干渉を抑圧するステップ（１２９）と
を含むことを特徴とする方法。
【請求項１０】
受信機において、受信電力レベルが変動する複数の信号からの寄与分を含んだ合成信号における電力がの電力の信号から干渉を除去する方法であって、前記電力がの信号は、自動再送要求（ＡＲＱ）を使用して、正しく受信されなかったデータパケットを再送するデータ伝送プロトコルに準拠して送信された信号であり、
前記方法は、
前記ＡＲＱを処理した後で、電力がのデータパケットを正しく受信できたか否かを判定するステップ（１５４）と、
前記電力がのデータパケットを正しく受信できたと判定されたときは、前記電力がのデータパケットに関連した複数回のＡＲＱによる再送信からの寄与分を前記合成信号から取り除くステップ（１５５）と
を含むことを特徴とする方法。
【請求項１１】
Ｇ−Ｒａｋｅ受信機のパラメータを調整することで電力がのデータパケットの寄与分を除外するステップ（１４６）と、
前記残りの干渉に関連した干渉統計値を推定するステップ（１４７）と、
推定された前記干渉統計値を使用して前記残りの干渉から信号を抑圧するステップ（１４８）と
を含むことを特徴とする請求項１０に記載の方法。
【請求項１２】
前記電力がのデータパケットが正しく受信されなかったと判定されたときに、再送された電力がのデータパケットを正しく受信できたか否かを判定するステップ（１５４）と、
前記再送された電力がのデータパケットも正しく受信されなかったと判定されたときに、追加でさらに再送された電力がのデータパケットを、同時並行して送信された音声フレームが終了する前に受信できたか否かを判定するステップ（１４９、１５０）と、
前記同時並行して送信された音声フレームが終了する前に前記追加でさらに再送された電力がのデータパケットを受信できたときには、前記追加でさらに再送された電力がのデータパケットの一つを正しく受信できたか否かを判定するステップ（１５４）と、
前記追加でさらに再送された電力がのデータパケットの一つを正しく受信できたときは、さらなる処理を続行するのに先立って、電力がの最初のデータパケットの寄与分、再送されて正しく受信された前記電力がのデータパケット、及び、干渉となっているいずれかの再送された電力がのデータパケットを前記合成信号から取り除くステップ（１５５）と
をさらに含むことを特徴とする請求項１０に記載の方法。
【請求項１３】
再送された電力がのデータパケットが正しく受信される前に、前記現在の音声フレームが終了したときに、
前記方法は、
前記合成信号に内包されている前記電力がのデータパケットの寄与分を維持するステップ（１５１）と、
前記電力がのデータパケットに関連した干渉統計値を推定するステップ（１５２）と、
推定された前記干渉統計値を使用して前記電力がのデータパケットを抑圧するステップ（１５３）と
をさらに含むことを特徴とする請求項１２に記載の方法。
【請求項１４】
前記再送された電力がのデータパケットが正しく受信されなかったときに、
前記電力がの最初のデータパケットに含まれているいくつかのビットと前記再送された電力がのデータパケットに含まれているいくつかのビットとが一致するか否かを判定するステップ（１７４）と、
前記いくつかのビットが一致するときに、さらなる処理に先立って、該いくつかのビットを減算するステップ（１７５）と
をさらに含むことを特徴とする請求項１０に記載の方法。
【請求項１５】
一致した前記いつかのビットを減算した後で、
前記一致したいくつかのビットのパーセンテージが所定の閾値を超えているか否かを判定するステップ（１７６）と、
前記一致したいくつかのビットのパーセンテージが所定の閾値を超えているときに、さらなる処理に先立って、一致しなかったビットを軟減算するステップ（１７８）と
をさらに含むことを特徴とする請求項１４に記載の方法。
【請求項１６】
前記一致したいくつかのビットのパーセンテージが所定の閾値を超えていないときに、
前記合成信号において一致していなかったビットを維持するステップ（１７７）と、
前記電力がのデータパケットにおいて前記一致しなかったビットに関連した干渉統計値を推定するステップ（１７０）と、
推定された前記干渉統計値を使用して、前記減算が適用されなかった位置で前記電力がのデータパケットを抑圧するステップ（１７１）と
をさらに含むことを特徴とする請求項１５に記載の方法。
【請求項１７】
無線受信機において使用され、第１のユーザ信号からの寄与分と第２ユーザからの信号の寄与分とを含む合成信号に内包されて受信された該第１のユーザ信号から干渉を除去する装置であって、
前記第１のユーザ信号が正しく受信されたか否かを判定する誤り検出機構（５２）と、
前記第１のユーザ信号が正しく受信されたと判定されたときにだけ前記合成信号から前記第１のユーザ信号の寄与分を減算する減算手段（５３）と
を含むことを特徴とする装置。
【請求項１８】
前記第１のユーザ信号は相対的に大電力の信号であり、前記第２のユーザ信号は該第１のユーザ信号の電力と比較して相対的に小電力の信号であることを特徴とする請求項１７に記載の装置。
【請求項１９】
前記誤り検出機構は、
前記第１のユーザ信号について巡回冗長検査（ＣＲＣ）のチェックサムを生成する手段と、
前記第１のユーザ信号についての前記ＣＲＣのチェックサムが正しいか否かを判定する手段と
を含むことを特徴とする請求項１８に記載の装置。
【請求項２０】
前記ＣＲＣのチェックサムは複数のビットを含み、各ビットは値を有し、
前記減算手段は、
前記チェックサムに含まれているすべてのビットが正しい値であることを示す指示を前記誤り検出手段が出力したことに応答して、受信した前記合成信号から前記第１のユーザ信号の寄与分を硬減算する硬減算手段と、
前記チェックサムに含まれているビットのいくつかが正しい値でないことを示す指示を前記誤り検出手段が出力したことに応答して、受信した前記合成信号から前記第１のユーザ信号の寄与分を軟減算する軟減算手段と
を含むことを特徴とする請求項１９に記載の装置。
【請求項２１】
前記第１のユーザ信号と前記第２のユーザ信号とも単一のユーザに属した信号であり、該単一のユーザは、大電力で高速データレートチャネルと相対的に小電力でチャネルとを送信しているユーザであり、
前記装置は、
前記大電力の高速データレートチャネルの信号を再符号化してシンボルを生成するエンコーダ（１０２）と、
前記大電力の高速データレートチャネルの信号のシンボルをパイロットシンボルとして利用して、前記大電力の高速データレートチャネルを送信したユーザと同一のユーザから送信されてきた前記小電力のチャネルの信号を検出するのに役立てるためにチャネル係数の推定値を改善するチャネル推定器（１０３）と
をさらに含むことを特徴とする請求項１８に記載の装置。
【請求項２２】
前記無線受信機は汎用ＲＡＫＥ（Ｇ−Ｒａｋｅ）受信機であって、前記合成信号は、受信電力レベルが変動する複数の信号からの寄与分を含んでおり、前記第１のユーザ信号は前記複数の信号のうちで電力がの信号であり、
前記装置は、
前記Ｇ−Ｒａｋｅ受信機のパラメータを調整して前記第１のユーザ信号を除外する手段と、
残っている干渉に関連した干渉統計値を推定する手段と、
前記干渉統計値を使用して前記残っている干渉を抑圧する手段と
を含むことを特徴とする請求項１７に記載の装置。
【請求項２３】
受信機において、受信電力レベルが変動する複数の信号からの寄与分を含んだ合成信号において電力がの信号から干渉を除去する装置であって、前記電力がの信号は、自動再送要求（ＡＲＱ）を使用して、正しく受信されなかったデータパケットを再送するデータ伝送プロトコルに準拠して送信された信号であり、
前記装置は、
前記ＡＲＱを処理した後で、電力がのデータパケットを正しく受信できたか否かを判定する誤り検出手段（５２）と、
前記電力がのデータパケットを正しく受信できたことを示す指示が前記誤り検出手段から出力されたことに応答して、前記電力がのデータパケットに関連した複数回のＡＲＱによる再送信からの寄与分を前記合成信号から減算する減算手段（７１）と
を含むことを特徴とする装置。
【請求項２４】
前記受信機は、汎用ＲＡＫＥ（Ｇ−Ｒａｋｅ）受信機であって、
前記装置は、
前記Ｇ−Ｒａｋｅ受信機のパラメータを調整することで電力がのデータパケットの寄与分を除外する手段と、
前記残りの干渉に関連した干渉統計値を推定する統計値推定器と、
推定された前記干渉統計値を使用して前記残りの干渉から信号を抑圧する干渉抑圧手段と
をさらに含むことを特徴とする請求項２３に記載の装置。
【請求項２５】
再送された前記電力がのデータパケットが正しく受信されなかったことを示す指示が前記誤り検出手段から出力されたことに応答して、電力がの最初のデータパケットに含まれているいくつかのビットと前記再送された電力がのデータパケットに含まれているいくつかのビットとが一致するか否かを判定するビット比較手段と、
前記いくつかのビットが一致したことを示す指示を前記ビット比較手段が出力したことに応答して、さらなる処理に先立って、一致した該いくつかのビットを減算する減算手段と
をさらに含むことを特徴とする請求項２３に記載の装置。
【請求項２６】
前記ビット比較手段は、
前記一致したいくつかのビットのパーセンテージが所定の閾値を超えているか否かを判定する手段と、
前記一致したいくつかのビットのパーセンテージが所定の閾値を超えていることを示す指示を前記ビット比較手段が出力したことに応答して、さらなる処理に先立って、一致しなかったビットを軟減算する軟減算手段と
をさらに含むことを特徴とする請求項２５に記載の装置。
【請求項２７】
前記受信機は、汎用ＲＡＫＥ（Ｇ−Ｒａｋｅ）受信機であって、
前記装置は、
前記電力がのデータパケットにおいて一致しなかったビットに関連した干渉統計値を推定する統計値推定器と、
推定された前記干渉統計値を使用して、前記減算が適用されなかった位置で前記電力が最大のデータパケットを抑圧する干渉抑圧手段と
をさらに含むことを特徴とする請求項２６に記載の装置。
【発明の詳細な説明】
【技術分野】
【０００１】
本発明は、無線通信システムに関する。より詳細には、本発明は、ハイパワー（大電力）高速データ信号からの干渉を除去する方法および装置を対照とするが、それに限定する意図はない。
【背景技術】
【０００２】
広帯域ＣＤＷＡ（ＷＣＤＭＡ）は、主要かつグローバルな第三世代（３Ｇ）標準として浮上している。この仕様は、ＷＣＤＭＡアップリンクに拡張が導入されて進化しており、今では第三世代パートナーシッププロジェクト（３ＧＰＰ）リリース６の一部になっている。この進化を推進する主な要件は、遅延の減少、高ピークデータレート、および容量の増加である。これらの要件を満足するために、拡張としてデータ送信のための２ｍｓという短い送信時間間隔（ＴＴＩ）、高速スケジューリング、および高速ハイブリッド自動再送要求（ＡＲＱ）が採用された。これらの拡張をサポートするために、新しいアップリンクトランスポートチャネルであるエンハンスト（拡張）専用チャネル（Ｅ−ＤＣＨ）が導入された。Ｅ−ＤＣＨでは、個別のチャネル化コードのセットが、データおよび関連した制御シグナリングのために利用される。Ｅ−ＤＣＨを運ぶためのチャネライゼーション（チャネル分離）コードの数とその拡散率は、利用されるデータレートによって決まる。ハイブリッドＡＲＱおよびトランスポートフォーマットに関する情報を運ぶエンハンスト個別物理制御チャネル（Ｅ−ＤＰＣＣＨ）は、新コードを使用する。これらのチャネルは、音声などの回線交換サービス用の１０ｍｓのＴＴＩを使用する以前のリリースの個別物理データチャネル（ＤＰＤＣＨ）および個別物理制御チャネル（ＤＰＣＣＨ）と符号多重化される。
【発明の開示】
【発明が解決しようとする課題】
【０００３】
図１は、１人の拡張アップリンクユーザ（ユーザ１）および１人の音声ユーザ（ユーザ２）に対する物理チャネルのフレーム構造の説明図である。エンハンスト個別物理データチャネル（Ｅ−ＤＰＤＣＨ）は、ＴＴＩが２ｍｓに等しく、その中に３スロットを含む高速ユーザのデータチャネルである。簡潔化のために、図１は、１つのデータチャネルだけを示すが、実際には並列データチャネル数は、伝送されるデータレートによって決まる。Ｅ−ＤＰＣＣＨは、トランスポートフォーマットおよびハイブリッドＡＲＱに関する情報を運ぶ制御チャネルである。個別物理データチャネル（ＤＰＤＣＨ）および個別物理制御チャネル（ＤＰＣＣＨ）は、回線交換サービス用のＴＴＩが１０ｍｓのチャネルである。ユーザ２は、１０ｍｓに等しいＴＴＩで伝送する音声ユーザである。
【０００４】
通常、システムは、基地局に送信する複数のユーザを含む。高速大電力で送信するデータユーザもいるし、低速ユーザ（例えば、音声ユーザ）もいる。本明細書の説明では、高速ユーザおよび音声ユーザは、少ししかいないというシナリオを中心にする。従来の基地局受信機は、通常、異なるユーザを独立して処理する。受信アンテナからの信号はベースバンドサンプルに変換され、次いで各ユーザ信号は異なるチャネル要素で復調される。そのチャネル要素には、受信信号の様々なイメージの逆拡散および合成、ならびに誤り訂正復号化を通常含む。
【０００５】
高速スケジューリングにより、基地局は、端末が何時およびどれほどの最大レートで送信してもよいかを、制御可能になる。パケットデータ伝送は集中的であり、必要な送信電力は、一般にデータレートとともに増加する。アップリンクチャネルの状況を考慮して、少数の高速データユーザは、同時に送信するようにスケジューリングされてもよい。高速ユーザが送信するとき、その伝送の電力レベルが大きいことから、システム内の他のユーザは突然に干渉レベルの増加を経験し、その干渉はセル内の許容干渉レベルを超えることがある。干渉レベルが大きいと、チャネル推定品質および検出性能が悪化する。
【０００６】
ダイレクトシーケンス（直接拡散）方式のＣＤＭＡシステムでは、送信される情報ストリームはブロックに分割され、そのブロックは、符号化され、インタリーブされ、変調されたシンボルとして送信される。送信時のデータ信号は、拡散率に従ってデータを分割するための、より高速のデータレートビットシーケンス（チッピングコードとしても知られる）と合成される。冗長チッピングコードは、信号の耐干渉性を高め、データビットが伝送中に破損した場合、元のデータを回復することも可能にする。ＤＳ−ＣＤＭＡは、ＷＣＤＭＡ、ｃｄｍａ２０００およびＩＳ−９５などの第２および第３世代デジタルセルラシステムで使用されている。ＤＳ−ＣＤＭＡは、ある種のＷＬＡＮシステムでも使用されている。
【０００７】
ＤＳ−ＣＤＭＡシステム用の従来の受信機は、Ｒａｋｅ受信機である。Ｒａｋｅ受信機はマッチドフィルタであり、拡散、パルス波形フィルタリング、およびチャネルフィルタリングの動作を実行する。このマッチドフィルタは、干渉と雑音との和が白色雑音であるとき、その出力の信号対雑音比を最大にする。Ｒａｋｅ受信機の合成重みは、チャネル係数ベクトルで与えられる。例えば、１人以上数人の高速データユーザにより生成される干渉などの有色干渉が存在している時は、Ｒａｋｅ受信機は干渉を白色雑音としてモデル化するので、受信機性能は大幅に劣化する。
【０００８】
汎用Ｒａｋｅ（Ｇ−Ｒａｋｅ）受信機は、有色雑音として干渉をモデル化する。Ｇ−Ｒａｋｅ受信機については、Ｇ．Ｅ．Ｂｏｔｔｏｍｌｅｙ共著の「Ａ  Ｇｅｎｅｒａｌｉｚｅｄ  Ｒａｋｅ  Ｒｅｃｅｉｖｅｒ  ｆｏｒ  Ｉｎｔｅｒｆｅｒｅｎｃｅ  Ｓｕｐｐｒｅｓｓｉｏｎ（干渉抑圧用汎用Ｒａｋｅ受信機）」（ＩＥＥＥ  Ｊ．Ｓｅｌ．Ａｒｅａｓ  Ｃｏｍｍｕ．第１８冊１５３６〜１５４５頁、２０００年８月発行）に、より完全に記載されている。合成重みは、干渉と雑音との和の相関マトリクスの逆マトリクスを掛けたチャネル係数ベクトルにより与えられる。合成動作は、逆拡散した後の有色雑音に対するマッチドフィルタリングの動作として解釈されてもよい。Ｇ−ＲＡｋｅ受信機は効果的に干渉を抑圧する能力があるが、さらに改善の余地がある。
【０００９】
干渉を抑圧するために、線形最小平均二乗誤差（ＬＭＭＳＥ）受信機（ＭＭＳＥチップイコライザとも呼ばれる）が使用されてもよい。この受信機とＧ−Ｒａｋｅ受信機とは、両受信機がフィルタリングおよび相関動作を実行する点で均等物であるが、順序は異なる。ＬＭＭＳＥ受信機は、パス毎に１つの相関器を設ける代わりに、全体として１つの相関器しか必要としないように、逆拡散の前にフィルタリングを組み合わせることで、Ｒａｋｅ受信機に取って代わるものである。
【００１０】
図２は、マルチユーザ環境における既存の干渉軽減方法の工程を説明するフローチャートである。マルチユーザ検出技術に基づく受信機は、干渉を軽減するのに効果的であることがわかっている。図２では、干渉を連続的に除去することにより、干渉は軽減される。すなわち、信号強度が減少する順に、ユーザ信号が減算（除去）されていく。工程２１で、受信機は、複数のユーザから電力レベルが変動する信号を受信する。工程２２で、最大電力のユーザが選択され、工程２３で、選択されたユーザは復調（または検波）される。工程２４で、最大電力の寄与分が減算される。次いで工程２５で、受信機は、次に電力の大きいユーザを選択する。次いで、本プロセスは、次に電力の大きいユーザを復調し取り除くなどを繰り返してもよい。並列減算として知られる代替のマルチユーザ検出技術では、より干渉の少ない信号を各ユーザに対して生成するために、干渉信号を作成し減算する。複数のユーザが一緒に復調されてもよい。しかし、マルチユーザ受信機の干渉を軽減するには、ユーザ数とともに直線的にまたは指数関数的にコンピュータ処理の複雑さが増大するという犠牲を伴う。
【００１１】
上記のように、先行技術の解決策の欠点は、性能と複雑さとの間に、トレードオフがあることである。解決策によっては、干渉を軽減する上で、理論的に非常に効果的なものもあるが、その複雑さのために実際に実施することが非常に困難になっている。他の解決策の中には、複雑さが少なくて実施するにはより適しているものもあるが、その性能は、複雑さの減少と引き換えに低下している。
【課題を解決するための手段】
【００１２】
一態様では、本発明は、第１のユーザおよび第２のユーザからの寄与を含む合成受信信号内の、第１のユーザ信号からの干渉を除去する、無線受信機の方法を対象とする。本方法は、第１のユーザ信号を正しく受信したかどうかを判定する工程と、第１のユーザ信号を正しく受信したと判定したときだけ、合成受信信号から第１のユーザ信号の寄与分を取り除く工程とを有する。第１のユーザ信号は、大電力信号であってもよく、第２のユーザ信号は第１のユーザ信号と比べて電力が小さい信号であってもよい。さらに、第１のユーザ信号は、巡回冗長検査（ＣＲＣ）チェックサムを有してもよく、そのチェックサムは、第１のユーザ信号を正しく受信したかどうかを判定するために使用されてもよい。さらに、第１のユーザ信号の寄与分を取り除く工程は、チェックサムの全ビットが正しい場合、受信信号から大電力信号寄与分を硬減算（ハードサブトラクション）する工程と、チャックサム内のビットの中に正しくないビットがあるが、チェックサム内の正しいビット数が所定の閾値を超える場合、受信信号から大電力信号の寄与分を軟減算（ソフトサブトラクション）する工程とを有してもよい。
【００１３】
大電力信号とそれより電力が小さい小電力信号の両方が、大電力高速データチャネルとそれより電力が小さい音声チャネルで送信する１人のユーザに属する場合、本方法は、シンボルを生成するために大電力信号を再符号化する工程と、その大電力信号のシンボルをパイロットシンボルとして利用する工程も含み、同じユーザから到来するより電力が小さい音声信号を検出するのを容易にするために、チャネル係数推定を改善してもよい。
【００１４】
一実施形態では、受信機は汎用Ｒａｋｅ（Ｇ−Ｒａｋｅ）受信機であり、合成信号は、電力レベルの変動する複数の信号からの寄与を含んでもよい。合成信号に含まれる信号のうちで、最大電力の信号は、第１のユーザから送信された信号である。この場合、本方法は、第１のユーザ信号を除外するためにＧ−Ｒａｋｅ受信機のパラメータを調整する工程と、残りの干渉に関連する干渉統計値を推定するためにＧ−Ｒａｋｅ受信機を利用する工程と、残りの干渉を抑圧するために干渉統計推定値を利用する工程も含んでもよい。
【００１５】
また別の態様では、本発明は、第１のユーザからの大電力信号、第２のユーザからの小電力音声信号、および第２のユーザからの大電力信号もまた含む、電力レベルの変動する複数の信号からの寄与を含む合成受信信号内の大電力信号からの、第２のユーザ音声信号に対する干渉を除去する、無線受信機の方法を対象とする。本方法は、まず第２のユーザの大電力信号を復調する工程と、受信信号から第２のユーザの大電力信号の寄与分を取り除く工程と、第１のユーザの大電力信号を正しく受信したかどうかを判定する工程とを有する。第１のユーザの大電力信号を正しく受信しなかった場合、本方法は、受信信号内の第１のユーザの大電力信号の寄与分を維持し、Ｇ−Ｒａｋｅ受信機を利用して、第１のユーザの大電力信号に関連する干渉統計値を推定し、その統計値を利用して、第２のユーザの音声信号の復調において第１のユーザの大電力信号を抑圧する。第１のユーザの大電力信号を正しく受信した場合、本方法は、受信信号から第１のユーザの大電力信号の寄与分を取り除き、Ｇ−Ｒａｋｅ受信機を利用して、残りの干渉に関連する干渉統計値を推定し、その干渉統計推定値を利用して、第２のユーザの音声信号の復調において残りの干渉を抑圧する。
【００１６】
また別の態様で、本発明は、電力レベルが変動する複数の信号からの寄与を含む合成受信信号内で電力が最大の信号からの干渉を除去する、受信機の方法を対象とする。ここで、電力が最大の信号は、正しく受信されなかったデータパケットを再送信するために、自動再送要求（ＡＲＱ）を利用するデータ伝送プロトコルに従って送信される。本方法は、ＡＲＱプロセス後、電力が最大のデータパケットを正しく受信したと判定したときに、受信信号から電力が最大のデータパケットに関連した複数のＡＲＱ伝送の寄与分を取り除く工程を有する。
【００１７】
また別の態様で、本発明は、第１のユーザおよび第２のユーザからの寄与を含む合成受信信号に内包された第１のユーザ信号からの干渉を除去する、無線受信機において使用される装置を対象とする。その装置は、第１のユーザ信号を正しく受信したかどうかを判定する誤り検出メカニズムと、合成受信信号から第１のユーザ信号の寄与分を取り除く減算手段とを有する。減算手段は、第１のユーザ信号を正しく受信したと判定したときにだけ、第１のユーザ信号の寄与分を取り除く。第１のユーザ信号は大電力信号であってもよく、第２のユーザ信号は第１のユーザ信号に比べて電力が小さい信号であってもよい。一実施形態では、誤り検出メカニズムは、第１のユーザ信号に対してＣＲＣチェックサムを形成する手段と、第１のユーザ信号に対するＣＲＣチェックサムが正しいかどうかを判定する手段とを有する。
【００１８】
また別の態様で、本発明は、電力レベルの変動する複数の信号からの寄与を含む合成受信信号内で電力が最大の信号からの干渉を除去する受信機内装置を対象とする。ここで、電力が最大の信号は、正しく受信されなかったデータパケットを再送信するために、ＡＲＱを利用するデータ伝送プロトコルに従って送信される。その装置は、ＡＲＱプロセス後、電力が最大のデータパケットを正しく受信したかどうかを判定する誤り検出手段と、電力が最大のデータパケットを正しく受信したとの誤り検出手段からの指示に応答して、受信信号から電力が最大のデータパケットに関連する複数のＡＲＱ伝送の寄与分を取り除く減算手段とを含む。
【発明を実施するための最良の形態】
【００１９】
本発明は、ＤＳ−ＣＤＭＡシステムなどの無線システムにおいて重要な問題である、干渉抑圧に取り組んだ発明である。本実施形態に係る発明は、アップリンクまたはダウンリンクのどちらかで１人以上数人の高速データユーザにより生成される干渉を除去し、それにより容量を増加したり、受信品質を改善したりすることを特に目的とする。本実施形態に係る発明は、受信機が高速ユーザ信号と音声信号などの低速ユーザ信号との両方を復調する拡張ＷＣＤＭＡアップリンクに特に関係がある。ユーザ数は時間と共に変化するので、システム内の各ユーザが経験する干渉のレベルも変化する。高速データユーザは音声ユーザよりハイパワー（大電力）で送信し、その結果、少数の高速ユーザが、他のユーザに対し干渉レベルの大幅な増加を引き起こすことがある。また、高速伝送は、２ｍｓなどの所与の時間間隔で送信するようにスケジュールされるので、たいていバースト送信で行われる。次いで、システム内の音声ユーザは、干渉のレベルが時間と共に突然変化することを経験するが、その変化の範囲は大きいことがある。他の音声ユーザが原因となる干渉は、長期に渡ったより安定した干渉となる。
【００２０】
図３は、本発明の装置の一実施形態を説明する概略機能ブロック図である。本発明では、他のユーザを復調する前に、高速ユーザが復調され、復号され、減算される。フロントエンド処理部３１は、受信無線信号ｒＲをフロントエンド処理し、その信号をベースバンドサンプルに変換する。例えば、フロントエンド処理部は、２つの受信アンテナのそれぞれに対してチップ当たり４サンプルを提供してもよい。これらのサンプルは、拡張アップリンク（ＥＵＬ）信号すなわち高速データ信号を復調するために、ＥＵＬ復調部３２に提供される。ＥＵＬ復調部は、ＥＵＬ信号を復調し、復号する。さらに、ＥＵＬ復調部は、逆拡散前にＥＵＬ信号の推定値を作成する。これは、Ｒａｋｅ復調またはＧ−Ｒａｋｅ復調を実行し、モデムシンボルについて硬判定または軟判定を実行して、次いでその結果を再拡散、チップパルス整形、チャネルフィルタリングすることにより行われてもよい。これは、前方誤り訂正（ＦＥＣ）復号化の後に行われるのが好ましい。ＦＥＣデコーダは、ターボ復号化の一部として行われるように、モデムビットに関する尤度情報を作成するように構成され、モデムシンボルの軟推定値を形成し、再拡散してもよい。
【００２１】
受信信号のベースバンドサンプルおよびＥＵＬ信号の推定値は、干渉除去（ＩＣ）制御部３３に提供される。ＩＣ制御部は、相当数あるやり方の１つで干渉除去を実行する。１つの方法は、サンプルからＥＵＬ信号の推定値を単に減算することである。別の方法は、巡回冗長検査（ＣＲＣ）などの誤り検出符号が誤りを検出したかどうかに応じて、条件付きでＥＵＬ信号の推定値を減算することである。例えば、ＣＲＣが誤りを検出した場合は、減算しない。誤りを検出しなかった場合は、減算する。他のパリティチェック符号または復調器若しくはデコーダ内の最終メトリックの比較などの他の形態の誤り検出が、受信機が検出した符号列の確実性をチェックするために使用されてもよいことに留意されたい。ＩＣ制御部から、信号は以後の処理のために復調器３４に供給される。
【００２２】
ＣＲＣは、ＥＵＬ復調部でも利用されてもよい。ＣＲＣが一致する場合、モデムビットに対する硬判定に基づき、ＥＵＬ信号推定値が形成される。再符号化ビットが正しいことは確実である。ＣＲＣが一致しない場合、ＥＵＬ信号の推定値はモデムビットの軟推定値を使用して形成できよう。１未満の倍率によりその推定値をさらに縮小することは役立つことがある。
【００２３】
図４は、本発明に係る方法の第１の実施形態を説明するフローチャートである。既存の干渉逐次除去方法は、信号強度が最大である最強信号の寄与分を常に取り除くのに対して、本発明は、基地局が高速データ（Ｅ−ＤＰＤＣＨ）信号を正しく受信したかどうかをまず判定し、信号を正しく受信した場合だけ、Ｅ−ＤＰＤＣＨ信号から寄与分を取り除く。信号を誤って受信したのに取り除いてしまえば、プロセスは、信号を改善するどころか、劣化させることがあると、本発明では理解している。
【００２４】
それ故、工程４１で、基地局は、複数のユーザからＥ−ＤＰＤＣＨ信号を含む信号を受信する。工程４２で、Ｅ−ＤＰＤＣＨ信号は復調され、ＣＲＣチェックサムが形成される。Ｅ−ＤＰＤＣＨ信号は、通常、誤り訂正符号化と誤り検出符号化の両方を有する。本発明は、Ｅ−ＤＰＤＣＨ信号を正しく受信したかどうかを、工程４３で検出するように、誤り検出符号化（例えば、ＣＲＣフィールド）を利用する。ＣＲＣが一致する（すなわち、Ｅ−ＤＰＤＣＨ信号を正しく受信した）場合、プロセスは工程４４に進み、受信信号からＥ−ＤＰＤＣＨ信号の寄与分を取り除く。減算後、残余信号はより綺麗な信号となり、次いで受信機は他の信号の復調または検出に進んでもよい。しかし、ＣＲＣが一致しない（すなわち、Ｅ−ＤＰＤＣＨ信号を正しく受信しなかった）場合、プロセスは工程４５に進み、Ｅ−ＤＰＤＣＨ信号の寄与分をそのまま維持する。工程４６で、他の信号が復調される。Ｇ−Ｒａｋｅ復調が使用される場合、信号を正しく受信したかどうかに応じてＥ−ＤＰＤＣＨ信号を用いるか又は用いずに、雑音共分散マトリクスが推定される。
【００２５】
図５は、図４に示す方法を実行する受信機装置の概略機能ブロック図である。受信信号ｒＲは、受信機フロントエンド５０でまず処理される。次いでＥ−ＤＰＤＣＨ信号は、Ｅ−ＤＰＤＣＨ復調器５１で復調される。次いでＣＲＣチェッカ５２は、他の信号を復調する前にＥ−ＤＰＤＣＨ干渉除去５３が実行されるか否かを決定するスイッチの機能を果たす。ＣＲＣが一致する場合、Ｅ−ＤＰＤＣＨ信号の干渉除去が実行され、残余信号は復調器５４に送信され、他の信号が復調される。ＣＲＣが一致しない場合、Ｅ−ＤＰＤＣＨ信号は取り除かれず、信号全部が復調器５４に送信される。
【００２６】
図６は、本発明に係る方法の第２の実施形態を説明するフローチャートである。工程６１で、基地局は、複数のユーザからＥ−ＤＰＤＣＨ信号を含む信号を受信する。工程６２で、Ｅ−ＤＰＤＣＨ信号は復調され、ＣＲＣチェックサムが形成される。工程６３で、Ｅ−ＤＰＤＣＨ信号用のＣＲＣが一致するかどうかが判定される。一致する場合、プロセスは工程６４に進み、Ｅ−ＤＰＤＣＨ信号の寄与分が受信信号からハードサブトラクション（硬減算）される。次いで残余信号は、工程６５で別の信号を復調するために使用される。ＣＲＣが一致しない場合、プロセスは工程６６に進み、Ｅ−ＤＰＤＣＨパケットの受信ビットは再組み立てされる（すなわち、復号化ビットが再符号化される）。次いで再符号化ビットは分析され、工程６７で正しく受信したビットの数が所定の閾値を超えるかどうかが判定される。例えば、Ｅ−ＤＰＤＣＨパケットのほとんどのビットを正しく受信したかどうか判定されてもよい。正しく受信したビット数が閾値を超えない場合、プロセスは工程６８に進み、Ｅ−ＤＰＤＣＨ信号の寄与分は維持され、受信信号全体が工程６５で復調される。それに対して、正しく受信したビットの数が所定の閾値を超える場合、プロセスは工程６９に進み、Ｅ−ＤＰＤＣＨ信号の寄与分は受信信号からソフトサブトラクション（軟減算）される。軟減算では、ビットを完全に取り除くのではなく、中間の値（例えば、＋１または−１ではなくて０．９）を使用して一部取り除く。代わりに、工程６６、６７、６８は、省略されてもよく、その場合、ＣＲＣが一致しないときは、軟減算がいつも使用される。
【００２７】
図７は、図６に示す方法を実行する受信機装置の概略機能ブロック図である。受信信号ｒＲは、受信機フロントエンド５０でまず処理され、Ｅ−ＤＰＤＣＨ信号は、Ｅ−ＤＰＤＣＨ復調器５１で復調される。次いでＣＲＣチェッカは、受信信号からＥ−ＤＰＤＣＨ信号の寄与分を、硬減算するかまたは軟減算するかを決定するスイッチの機能を果たす。ＣＲＣが一致する場合、Ｅ−ＤＰＤＣＨ信号の寄与分は硬減算モジュール７１により受信信号から減算され、残余信号は復調器５４に送られ、他の信号が復調される。ＣＲＣが一致しない場合、Ｅ−ＤＰＤＣＨ信号の寄与分は軟減算モジュール７２に送られる。軟減算モジュール７２は、受信信号からＥ−ＤＰＤＣＨ信号を軟減算するか、またはＥ−ＤＰＤＣＨ信号の寄与分をそのまま維持するかどうかを判定する。次いで、残余信号かまたは元の信号は、復調器５４に送られる。
【００２８】
ＥＵＬリンクは、ＡＲＱ手順も利用してよい。その結果、正しい信号を受信するまでに、信号は１回を超えて送信されてもよい。２回目の送信は、１回目と同じ情報であってもよいし、また関連情報を供給してもよい。これを取り扱う１つの方法は、各送信を個別に扱うことである。第２の方法は、Ｅ−ＤＰＤＣＨ信号のもっとよい推定値を取得するために復調の前に、例えばチェイス合成を実行し、過去の送信も考慮に入れることである。第３の方法は、除去が実行されたとき、遅延させることにより過去と未来の送信も考慮に入れることである。この方法は、他の信号に対す送信時間間隔（ＴＴＩ）よりＥ−ＤＰＤＣＨ信号に対するＴＴＩが非常に小さいとき妥当である。例えば、Ｅ−ＤＰＤＣＨ信号に対するＴＴＩは２ｍｓであってもよいのに対して、他の信号は１０ｍｓのＴＴＩを有する。ＣＲＣチェックを通過するのにＥ−ＤＰＤＣＨ信号の送信を２回必要とし、送信間の時間が２ＴＴＩ（すなわち、４ｍｓ）である場合、他の信号の復調を４ＴＴＩ（すなわち、８ｍｓ）だけ遅らせ、他の処理遅延を考慮することにより、Ｅ−ＤＰＤＣＨ信号の両方とも、１つまたは両方のイメージを使用する復調に基づき、除去され、受信信号から正確に取り除かれてもよい。
【００２９】
図８は、本発明に係る方法の第３の実施形態を実行する受信機装置の簡潔化機能ブロック図である。図１も参照して、低速データユーザ２のＴＴＩの１０ｍｓ中に、ユーザ１の高速データチャネルは４つのＴＴＩで送信するようにスケジュールされると想定する。この実施形態によれば、ユーザ２は、ＣＲＣチェックを通過する各ＴＴＩの受信Ｅ−ＤＰＤＣＨ信号を減算することにより、ユーザ１の干渉寄与分を取り除く。２人のユーザからの受信信号ｒＲを考慮する。この信号は次式で与えられる。
【００３０】
ｒＲ＝ｒＥ−ＤＰＤＣＨ＋ｒＥ−ＤＰＣＣＨ＋ｒＤＰＤＣＨ１＋ｒＤＰＣＣＨ１＋ｒＤＰＤＣＨ２＋ｒＤＰＣＣＨ２＋ｎ
上式で、ｎは雑音ベクトルを表す。以下の説明を簡潔にするために、ｒＥ−ＤＰＣＣＨ、ｒＤＰＤＣＨ１およびｒＤＰＣＣＨ１は、ｎに含まれるものとする。その理由は、実際には、これらの信号の電力はｒＥ−ＤＰＤＣＨの電力よりはるかに小さいからである。従って、受信信号は次のようにモデル化されてもよい。
【００３１】
ｒＲ＝ｒＥ−ＤＰＤＣＨ＋ｒＤＰＤＣＨ２＋ｒＤＰＣＣＨ２＋ｎ
ユーザ１の２回目の２ｍｓのＴＴＩが首尾よくＣＲＣチェックを通過する場合、２回目の２ｍｓのＴＴＩに対する受信信号は、再組み立てされ、ｒＲから減算される。その時間間隔にユーザ２により処理された受信信号は、次式で表せる。
【００３２】
【数１】
2008537436.tif 000003
【００３３】
ここで、
【００３４】
【数２】
2008537436.tif 000004
【００３５】
は、Ｅ−ＤＰＤＣＨ受信信号の推定値である。ｒＲにおける干渉レベルよりｒにおける干渉レベルが小さいので、音声ユーザ（ユーザ２）の性能は改善する。
【００３６】
【数２】
2008537436.tif 000005
【００３７】
は、Ｅ−ＤＰＤＣＨ受信信号の推定値であることに留意されたい。信号の再組み立てで使用されるチャネル係数は、ＤＰＣＣＨ１のパイロットシンボルからの推定値であるからである。それ故、Ｅ−ＤＰＤＣＨ信号の減算は、完全ではない。
【００３８】
引き続き図８を参照して、２人のユーザからの受信信号ｒＲが、受信機フロントエンド５０で受信される。その信号は、Ｅ−ＤＰＤＣＨ復調器５１およびＥ−ＤＰＤＣＨ減算モジュール８１の両方に送られる。Ｅ−ＤＰＤＣＨの復調に続いて、ＣＲＣスイッチ８２が、ＣＲＣチェックを実行する。ＣＲＣが一致する場合、Ｅ−ＤＰＤＣＨパケット内の受信信号は、パケット再組み立てモジュール８３により再組み立てされる（すなわち、復号化ビットは再符号化、再拡散およびチャネルフィルタリングされる）。次いでＥ−ＤＰＤＣＨ減算モジュール８１は、Ｅ−ＤＰＤＣＨ信号の寄与分を減算する。次いでＤＰＤＣＨ復調器８４は、残余ＤＰＤＣＨ信号を復調する。減算後、音声ユーザ（ユーザ２）がＲａｋｅ受信機を使用する場合、ある時間間隔に対する受信信号の干渉がより低いレベルであると、Ｒａｋｅ合成器の出力における軟値の干渉レベルはより低くなる。これにより性能は改善する。
【００３９】
例えばＧ−Ｒａｋｅ受信機などの高度な受信機が使用される場合、雑音共分散マトリクスが推定されなければならない。雑音共分散マトリクスは、受信機で認められる干渉レベルによって決まり、Ｅ−ＤＰＤＣＨシンボルが減算されたか否かに応じて異なってモデル化される。例えば、ＣＲＣが首尾よく一致しなかったので、Ｅ−ＤＰＤＣＨ信号が所与のＴＴＩに対して減算されない場合、Ｇ−Ｒａｋｅ受信機の雑音共分散マトリクスは、次のようにモデル化されてもよい。
【００４０】
Ｒ＝ＥｉＲＥ−ＤＰＤＣＨ＋Ｎ０ＲＡＷＧＮ
上式で、ＥｉはＥ−ＤＰＤＣＨチャネルのエネルギー、ＲＥ−ＤＰＤＣＨはＥ−ＤＰＤＣＨが寄与する相関マトリクス、Ｎ０はＡＷＧＮ電力、ＲＡＷＧＮはＡＷＧＮが寄与する相関マトリクスである。ここで、Ｎ０には、Ｅ−ＤＰＣＣＨ、ＤＰＤＣＨ１、ＤＰＣＣＨ１、ＤＰＤＣＨ２、ＤＰＣＣＨ２に加えて、受信信号内に存在する他の干渉もまた含むことに留意されたい。Ｅ−ＤＰＤＣＨ信号が硬減算されたＴＴＩに相当する時間間隔に対して、Ｇ−Ｒａｋｅマトリクスは雑音だけによって決まり、次式で与えられる。
【００４１】
Ｒ＝Ｎ０ＲＡＷＧＮ
他の干渉源が存在する場合（例えば、所望の受信者が音声ユーザではなくて、複数の符号および低拡散率で高速送信するときの自己干渉）、合成重みを計算するための逆相関マトリクスは追加の項を含む。
【００４２】
図９は、本発明に係る方法の第４の実施形態を説明するフローチャートである。この実施形態では、Ｅ−ＤＰＤＣＨとＤＰＤＣＨの両方とも、高速データチャネルと音声チャネルの両方で送信するただ１人のユーザに属する。Ｅ−ＤＰＤＣＨ信号がＣＲＣチェックを通過する場合、受信機はＥ−ＤＰＤＣＨ信号の符号化ビットについて非常によい知識を有している。受信信号からＥ−ＤＰＤＣＨ信号を減算するのに加えて、受信機はＥ−ＤＰＤＣＨ信号を再符号化して、Ｅ−ＤＰＤＣＨシンボルをパイロット信号として使用し、Ｅ−ＤＰＤＣＨ信号をより正確に推定するのを容易にしてチャネル係数推定を改善し、同じユーザから到来する低速データ信号をよく検出してもよい。
【００４３】
チャネル係数の推定を容易にするために、既知のパイロット信号を使用することは、周知のことである。パイロット信号を利用するシステムでは、送信エネルギーの一部は既知量のパイロット信号を送信するために使用され、受信機は、それをチャネルに何が起こっているかを判定するための基準として使用できる。それに対して本発明では、受信信号は、復調および復号化以前はわからない。しかし、Ｅ−ＤＰＤＣＨ信号がＣＲＣチェックを通過した場合、Ｅ−ＤＰＤＣＨ信号の符号化ビットから、チャネルの状態について多くのことがわかってもよい。Ｅ−ＤＰＤＣＨ信号のＴＴＩは音声のＴＴＩより非常に短いので、音声のＴＴＩの終了前にチャネル推定を改善するために、Ｅ−ＤＰＤＣＨ信号から得た知識を使用する時間がある。
【００４４】
それ故、工程９１で、Ｅ−ＤＰＤＣＨ信号と音声信号の両方の信号を、ユーザ１から受信する。工程９２で、Ｅ−ＤＰＤＣＨ信号が復調され、ＣＨＣチェックサムが形成される。工程９３では、Ｅ−ＤＰＤＣＨ信号に対するＣＲＣが一致するかどうかが判定される。一致しない場合、プロセスは工程９４に進み、Ｅ−ＤＰＤＣＨ信号の寄与分が維持される。次いで受信信号は、工程９５で復調され、Ｇ−Ｒａｋｅ受信機が利用されていると想定すると、雑音共分散マトリクスが推定される。
【００４５】
それに対して、Ｅ−ＤＰＤＣＨ信号に対するＣＲＣが一致する場合、プロセスは工程９６に進み、Ｅ−ＤＰＤＣＨ信号の寄与分は取り除かれ、残余信号は音声信号を復調するために使用される。工程９７では、Ｅ−ＤＰＤＣＨ信号が再生成され、次いでＥ−ＤＰＤＣＨシンボルはパイロットシンボルとして利用され、そのＴＴＩ（減算前）に対するチャネル推定を改善する。次いで音声信号は工程９８で復調される。
【００４６】
図１０は、図９に示す方法を実行する受信機装置の簡潔化機能ブロック図である。ＣＲＣチェックを通過した高速データＥ−ＤＰＤＣＨ信号１０１を、エンコーダ１０２は再符号化し、それをチャネル推定器１０３に渡す。その一方で、低速データＤＰＣＣＨ信号１０４は、相対的により長いＴＴＩにわたって受信され、同じくチャネル推定器に渡される。Ｅ−ＤＰＤＣＨシンボルとＤＰＣＣＨシンボルの両方とも、チャネル推定を改善するために、チャネル推定器でパイロットシンボルとして利用される。
【００４７】
図１１は、干渉信号を抑圧する既存の方法を説明するフローチャートである。工程１１１で、基地局受信機は、ユーザ１からのＥ−ＤＰＤＣＨ信号を含む、複数のユーザからの信号を受信する。工程１１２で、ユーザ２の受信機は、Ｇ−Ｒａｋｅ受信機を利用し、ユーザ１に関連する干渉統計値を推定する。その後、工程１１３で、ユーザ２は、統計値を利用し、ユーザ１からの信号を抑圧する。
【００４８】
図１２は、本発明に係る方法の第５の実施形態を説明するフローチャートである。この実施形態では、工程１２１で基地局受信機が、ユーザ１からのＥ−ＤＰＤＣＨ信号を含む、複数のユーザからの信号を受信し、Ｅ−ＤＰＤＣＨ信号を復調し、ＣＲＣチェックサムを形成する。工程１２２で、Ｅ−ＤＰＤＣＨ信号用のＣＲＣが一致するかどうかが判定される。一致しない場合、本方法は、ユーザ１に関連する（ユーザ１の干渉および他の干渉源を含む）干渉統計値を推定し、その統計値を使用してユーザ１からの信号を抑圧する既知のプロセスを利用する。従って、ＣＲＣが一致しない場合、プロセスは工程１２３に進み、ユーザ１のＥ−ＤＰＤＣＨ信号の寄与分は維持される。工程１２４で、ユーザ２の信号を復調する復調器は、Ｇ−Ｒａｋｅ受信機を利用し、ユーザ１に関連する干渉統計値を推定する。その後、工程１２５で、ユーザ２の信号用の復調器は、干渉統計推定値を利用し、ユーザ１からの信号を抑圧する。
【００４９】
それに対して、Ｅ−ＤＰＤＣＨ信号に対するＣＲＣが一致する場合、プロセスは工程１２６に進み、ユーザ１のＥ−ＤＰＤＣＨ信号の寄与分は受信信号から取り除かれる。次いで工程１２７で、ユーザ２の信号用の復調器は、Ｇ−Ｒａｋｅ受信機のパラメータを調整し、ユーザ１を除外する。代わりに、減算が完全でない場合、ユーザ１を一部除外するように、パラメータが調整されてもよい。次いでユーザ２の信号用の復調器は、そのＧ−Ｒａｋｅ受信機および雑音共分散マトリクスを使用して、他の干渉を抑圧してもよいが、ユーザ１を抑圧する必要はない。従って、工程１２８で、ユーザ２の信号用の復調器は、Ｇ−Ｒａｋｅ受信機を利用し、残りの干渉に関連する干渉統計値を推定する。工程１２９で、ユーザ２の信号用の復調器は、干渉統計推定値を利用し、残りの干渉源からの信号を抑圧する。従って、広い意味において、ユーザ２の復調は、ユーザ１に何が起こったかによって決まる。ユーザ１の寄与分が減算される場合、ユーザ２の信号用の復調器は、他の干渉源を抑圧するための処置を取る。ユーザ１の寄与分が減算されない場合、ユーザ２の信号用の復調器は、ユーザ１もまた抑圧するための処置を取る。
【００５０】
図１３は、本発明に係る方法の第６の実施形態を説明するフローチャートである。この実施形態では、ユーザ２は、音声ユーザでかつＥ−ＤＰＤＣＨユーザであり、基地局受信機は、ユーザ２の小電力音声信号を処理する。工程１３１で、基地局受信機は、ユーザ１からのＥ−ＤＰＤＣＨ信号、ユーザ２の小電力音声信号、およびユーザ２自身のＥ−ＤＰＤＣＨ信号を含む、複数のユーザからの信号を受信する。工程１３２で、ユーザ２のＥ−ＤＰＤＣＨ信号は復調され、その寄与分は受信信号から減算される。工程１３３で、ユーザ１からのＥ−ＤＰＤＣＨ信号は復調され、ＣＲＣチェックサムが形成される。工程１３４で、ユーザ１のＥ−ＤＰＤＣＨ信号が一致するかどうかが判定される。一致しない場合、プロセスは工程１３５に進み、ユーザ１のＥ−ＤＰＤＣＨ信号の寄与分は維持される。工程１３６で、ユーザ２の信号用の音声復調器は、Ｇ−Ｒａｋｅ受信機を利用し、ユーザ１に関連する干渉統計値を推定する。その後、工程１３７で、ユーザ２の信号用の音声復調器は、その統計値を利用し、ユーザ１からの信号を抑圧する。
【００５１】
それに対して、ユーザ１のＥ−ＤＰＤＣＨ信号に対するＣＲＣが一致する場合、プロセスは工程１３８に進み、ユーザ１のＥ−ＤＰＤＣＨ信号の寄与分は受信信号から取り除かれる。次いで工程１３９では、ユーザ２の信号用の音声復調器は、Ｇ−Ｒａｋｅ受信機のパラメータを調整し、ユーザ１のＥ−ＤＰＤＣＨ信号とユーザ２のＥ−ＤＰＤＣＨ信号の寄与分を除外する。次いでユーザ２の信号用の音声復調器は、Ｇ−Ｒａｋｅ受信機および雑音共分散マトリクスを使用して、他の干渉を抑圧してもよいが、ユーザ１のＥ−ＤＰＤＣＨ信号もユーザ２のＥ−ＤＰＤＣＨ信号も抑圧する必要はない。従って、工程１４０で、ユーザ２の信号用の音声復調器は、Ｇ−Ｒａｋｅ受信機を利用し、残りの干渉に関連する干渉統計値を推定する。工程１４１で、ユーザ２の信号用の音声復調器は、その統計値を利用し、残りの干渉源からの信号を抑圧する。
【００５２】
図１４は、本発明に係る方法の第７の実施形態を説明するフローチャートである。この実施形態では、Ｅ−ＤＰＤＣＨパケットに対して自動再送要求（ＡＲＱ）が利用され、最初のＥ−ＤＰＤＣＨパケットを正しく受信しなかった場合、受信機は、現在の音声フレーム内に、できるだけ多くの再送信パケットのＣＲＣを一致させる。現在の音声フレームの終了前に、再送信パケットのＣＲＣが一致した場合、受信機は、受信信号から最初のＥ−ＤＰＤＣＨパケットおよび再送信パケットの寄与分を減算し、残余信号を処理する。現在の音声フレームの終了前に、再送信パケットを正しく受信しなかった場合、Ｅ−ＤＰＤＣＨ信号の寄与分は維持され、Ｇ−Ｒａｋｅ受信機と雑音共分散マトリクスとを利用して抑圧される。音声フレームの継続期間は、データを復調する前に、受信機がどのくらい長く待ってもよいかによって決まる。音声フレームは、異なる継続期間を有してもよい数スロットまたは数フレームに相当してもよい。
【００５３】
工程１４３で、基地局受信機は、ユーザ１からの最初のＥ−ＤＰＤＣＨパケット含む、複数のユーザからの信号を受信し、最初のＥ−ＤＰＤＣＨパケットを復調し、ＣＲＣチェックサムを形成する。工程１４４では、最初のＥ−ＤＰＤＣＨパケットを正しく受信したかどうかを判定するために、最初のＥ−ＤＰＤＣＨパケットに対しＣＲＣチェックを実行する。最初のパケットを正しく受信した場合、プロセスは工程１４５に進み、最初のＥ−ＤＰＤＣＨパケットの寄与分は、受信信号から硬減算される。工程１４６で、ユーザ２の信号用の復調器は、Ｇ−Ｒａｋｅ受信機のパラメータを調整し、ユーザ１のＥ−ＤＰＤＣＨ信号を除外する。工程１４７で、ユーザ２の信号用の復調器は、Ｇ−Ｒａｋｅ受信機を利用し、残りの干渉に関連する干渉統計値を推定する。工程１４８で、ユーザ２の信号用の復調器は、その統計値を利用し、残りの干渉源からの信号を抑圧する。
【００５４】
それに対して、工程１４４で、最初のＥ−ＤＰＤＣＨパケットに対するＣＲＣが一致しない場合、プロセスは工程１４９に進み、現在の音声フレームが終了したかどうかが判定される。音声フレームが終了していた場合、プロセスは工程１５１に進み、ユーザ１のＥ−ＤＰＤＣＨ信号の寄与分はそのまま維持される。工程１５２で、ユーザ２の信号用の復調器は、Ｇ−Ｒａｋｅ受信機を利用し、ユーザ１に関連する干渉統計値を推定する。その後工程１５３で、ユーザ２の信号用の復調器は、干渉統計推定値を利用し、ユーザ１からの信号を抑圧する。現在の音声フレームが終了していない場合、プロセスは、工程１４９から工程１５０に進み、間違って受信した最初のＥ−ＤＰＤＣＨパケットに対する再送信パケットを受信したかどうか判定する。再送信パケットを受信していない場合、プロセスは、工程１４９に戻り、受信予定の再送信パケットかまたは現在の音声フレームの終了のどちらか早いほうを待つ。
【００５５】
それに対して、工程１５０で再送信パケットが受信された場合、プロセスは工程１５４に進み、ＣＲＣチェックを実行し、再送信パケットを正しく受信したかどうかを判定する。正しく受信しなかった場合、プロセスは工程１４９に戻り、現在の音声フレームが終了していない場合、プロセスは、受信予定の再送信パケットかまたは現在の音声フレームの終了のどちらか早いほうを待つ。それに対して、再送信パケットに対するＣＲＣが一致する場合、プロセスは工程１５５に進み、最初のＥ−ＤＰＤＣＨパケットおよび再送信パケットの寄与分は、受信信号から減算される。次いでプロセスは、工程１４６に進み、工程１４６〜１４８を実行する。
【００５６】
図１５は、本発明に係る方法の第８の実施形態を説明するフローチャートである。この実施形態では、Ｅ−ＤＰＤＣＨパケットに対してＡＲＱが再び利用され、最初のＥ−ＤＰＤＣＨパケットを正しく受信しなかった場合、受信機は、現在の音声フレーム内にできるだけ多くの再送信パケットのＣＲＣを一致させる。正しく受信した再送信パケットはないが、最初のパケットと再送信パケットに一致するビットがある場合、受信機は一致するビットを減算してもよい。これは、硬減算であってもよいし、また軟減算であってもよい。ほとんどのビットが一致する場合、受信機は一致しないビットも軟減算してもよい。
【００５７】
工程１６１で、基地局受信機は、ユーザ１からの最初のＥ−ＤＰＤＣＨパケットを含む、複数のユーザからの信号を受信し、最初のＥ−ＤＰＤＣＨパケットを復調し、ＣＲＣチェックサムを形成する。工程１６２で、最初のＥ−ＤＰＤＣＨパケットにＣＲＣチェックを実行し、それを正しく受信したかどうかを判定する。最初のパケットを正しく受信した場合、プロセスは工程１６３に進み、最初のＥ−ＤＰＤＣＨパケットの寄与分は受信信号から硬減算される。工程１６４で、ユーザ２の信号用の復調器は、Ｇ−Ｒａｋｅ受信機のパラメータを調整し、ユーザ１のＥ−ＤＰＤＣＨ信号を除外する。工程１６５で、ユーザ２の信号用の復調器は、Ｇ−Ｒａｋｅ受信機を利用し、残りの干渉に関連する干渉統計値を推定する。工程１６６で、ユーザ２の信号用の復調器は、その統計値を利用し、残りの干渉源からの信号を抑圧する。
【００５８】
それに対して、工程１６２で、最初のＥ−ＤＰＤＣＨパケットに対するＣＲＣが一致しない場合、プロセスは工程１６７に進み、現在の音声フレームが終了したかどうかが判定される。音声フレームが終了していた場合、プロセスは工程１６９に進み、ユーザ１のＥ−ＤＰＤＣＨ信号の寄与分はそのまま維持される。工程１７０で、ユーザ２の信号用の復調器はＧ−Ｒａｋｅ受信機を利用し、ユーザ１に関連する干渉統計値を推定する。その後工程１７１で、ユーザ２の信号用の復調器は、統計値を利用し、ユーザ１からの信号を抑圧する。工程１６７で現在の音声フレームが終了していない場合、プロセスは工程１６８に進み、間違って受信した最初のＥ−ＤＰＤＣＨパケットに対する再送信パケットを受信したかどうかを判定する。再送信パケットを受信していない場合、プロセスは工程１６７に戻り、受信予定の再送信パケットかまたは現在の音声フレームの終了のどちらか早いほうを待つ。
【００５９】
それに対して、工程１６８で再送信パケットを受信していた場合、プロセスは工程１７２に進み、ＣＲＣチェックを実行し、再送信パケットを正しく受信したかどうかを判定する。ＣＲＣが一致する場合、プロセスは工程１７３に進み、最初のＥ−ＤＰＤＣＨパケットと再送信パケットの両方の寄与分が受信信号から硬減算される。次いでプロセスは、工程１６４に進み、工程１６４〜１６６を実行する。
【００６０】
それに対して、工程１７２で再送信パケットのＣＲＣが一致しない場合、プロセスは工程１７４に進み、最初のＥ−ＤＰＤＣＨパケットと再送信パケットに一致するビットがあるかどうかが判定される。一致するビットがない場合、プロセスは工程１６７に戻り、受信予定の再送信パケットかまたは現在の音声フレームの終了のどちらか早いほうを待つ。しかし、工程１７４で、最初のＥ−ＤＰＤＣＨパケットと再送信パケットに一致するビットがある場合、プロセスは工程１７５に進み、受信機は一致するビットを硬減算する。代わりに、一致するビットは軟減算されてもよい。次いでプロセスは工程１７６に進み、一致するビットの割合が所定の閾値を超えるかどうかが判定される。閾値を超えない場合、工程１７７で一致しないビットは維持される。次いでプロセスは、工程１７０に進み、工程１７０、１７１を実行する。一致しないビットに対して工程１７０、１７１を実行し、一致して減算されたビットに対して工程１６４〜１６６を実行するのが好ましい。
【００６１】
それに対して、工程１７６で一致するビットの割合が所定の閾値を超える場合、プロセスは工程１７８に進み、一致しないビットは軟減算される。次いでプロセスは、工程１６４に戻り、工程１６４〜１６６を実行する。
【００６２】
当業者には当然のことながら、本願に記述された発明コンセプトは、広範囲に適用される中で修正および変形されてもよい。それ故、本発明の技術的範囲は、上記の特定の例示や教示のいずれかに限定されるべきではなく、特許請求の範囲により規定される。
【図面の簡単な説明】
【００６３】
【図１】（先行技術）複数ユーザに対するアップリンクチャネル内の送信時間間隔（ＴＴＩ）の説明図である。
【図２】（先行技術）マルチユーザ環境における既存の干渉軽減方法の工程を説明するフローチャートである。
【図３】本発明の装置の一実施形態を説明する簡潔化機能ブロック図である。
【図４】本発明に係る方法の第１の実施形態を説明するフローチャートである。
【図５】図４に示す方法を実行する受信機装置の簡潔化機能ブロック図である。
【図６】本発明に係る方法の第２の実施形態を説明するフローチャートである。
【図７】図６に示す方法を実行する受信機装置の簡潔化機能ブロック図である。
【図８】本発明に係る方法の第３の実施形態を実行する受信機装置の簡潔化機能ブロック図である。
【図９】本発明に係る方法の第４の実施形態を説明するフローチャートである。
【図１０】図９に示す方法を実行する受信機装置の簡潔化機能ブロック図である。
【図１１】（先行技術）干渉信号を抑圧する既存の方法を説明するフローチャートである。
【図１２】本発明に係る方法の第５の実施形態を説明するフローチャートである。
【図１３】本発明に係る方法の第６の実施形態を説明するフローチャートである。
【図１４】本発明に係る方法の第７の実施形態を説明するフローチャートである。
【図１５】本発明に係る方法の第８の実施形態を説明するフローチャートである。
【図１】
2008537436.tif 000006
【図２】
2008537436.tif 000007
【図３】
2008537436.tif 000008
【図４】
2008537436.tif 000009
【図５】
2008537436.tif 000010
【図６】
2008537436.tif 000011
【図７】
2008537436.tif 000012
【図８】
2008537436.tif 000013
【図９】
2008537436.tif 000014
【図１０】
2008537436.tif 000015
【図１１】
2008537436.tif 000016
【図１２】
2008537436.tif 000017
【図１３】
2008537436.tif 000018
【図１４】
2008537436.tif 000019
【図１５】
2008537436.tif 000020
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
無線受信装置において使用され、高速データレートの第１のユーザ信号からの寄与分と第２ユーザからの信号の寄与分とを含む合成信号に内包されて受信された該高速データレートの第１のユーザ信号から干渉を除去する方法であって、
前記高速データレートの第１のユーザ信号だけを復調するステップ（４２）と、
前記高速データレートの第１のユーザ信号が正しく受信されたか否かを判定する判定ステップ（４３）と、
前記高速データレートの第１のユーザ信号が正しく受信されたと判定されたときにだけ前記合成信号から前記高速データレートの第１のユーザ信号の寄与分を取り除く除去ステップ（４４）と
を含むことを特徴とする方法。
【請求項２】
前記高速データレートの第１のユーザ信号は相対的に大電力の信号であり、前記第２のユーザ信号は該高速データレートの第１のユーザ信号の電力と比較して相対的に小電力の信号であることを特徴とする請求項１に記載の方法。
【請求項３】
前記高速データレートの第１のユーザ信号は、巡回冗長検査（ＣＲＣ）のチェックサムを含んでおり、前記判定ステップは、前記ＣＲＣのチェックサムが正しいか否かを判定するステップを含むことを特徴とする請求項２に記載の方法。
【請求項４】
前記ＣＲＣのチェックサムは複数のビットを含み、各ビットは値を有し、
前記除去ステップは、
前記チェックサムに含まれているすべてのビットが正しい値であれば、受信した前記合成信号から前記高速データレートの第１のユーザ信号の寄与分を硬減算するステップと、
前記チェックサムに含まれているビットのいくつかが正しい値でなければ、受信した前記合成信号から前記高速データレートの第１のユーザ信号の寄与分を軟減算するステップと
を含むことを特徴とする請求項３に記載の方法。
【請求項５】
前記高速データレートの第１のユーザ信号を除去するのに先立って、前記ＣＲＣのチェックサムが正しいと判定されると、前記高速データレートの第１のユーザ信号を再組立するステップをさらに含むことを特徴とする請求項３に記載の方法。
【請求項６】
前記高速データレートの第１のユーザ信号と前記第２のユーザ信号とも単一のユーザに属した信号であり、該単一のユーザは、大電力で高速データレートチャネルと相対的に小電力でチャネルとを送信しているユーザであり、
前記方法は、
前記高速データレートの第１のユーザ信号を再符号化してシンボルを生成するステップと、
前記高速データレートの第１のユーザ信号から生成された前記シンボルをパイロットシンボルとして利用して、前記高速データレートチャネルを送信したユーザと同一のユーザから送信されてきた前記小電力のチャネルの信号を検出するのに役立てるためにチャネル係数の推定値を改善するステップと
を含むことを特徴とする請求項２に記載の方法。
【請求項７】
前記無線受信装置は汎用ＲＡＫＥ（Ｇ−Ｒａｋｅ）受信機であって、前記合成信号は、受信電力レベルが変動する複数の信号からの寄与分を含んでおり、前記高速データレートの第１のユーザ信号は前記複数の信号のうちで電力が最大の信号であり、
前記方法は、
前記Ｇ−Ｒａｋｅ受信機のパラメータを調整して前記高速データレートの第１のユーザ信号を除外するステップと、
残っている干渉に関連した干渉統計値を推定するステップと、
前記干渉統計値を使用して前記残っている干渉を抑圧するステップと
を含むことを特徴とする請求項１に記載の方法。
【請求項８】
前記高速データレートの第１のユーザ信号が正しく受信されていないと判定されたときは該高速データレートの第１のユーザ信号の寄与分を維持するステップと、
前記高速データレートの第１のユーザ信号に関連した干渉統計値を推定するステップと、
推定された前記干渉統計値を使用して前記高速データレートの第１のユーザ信号を抑圧するステップと
を含むことを特徴とする請求項７に記載の方法。
【請求項９】
所与のユーザから受信した小電力の信号を処理する汎用ＲＡＫＥ（Ｇ−Ｒａｋｅ）受信機において使用され、受信電力レベルが変動する複数の信号からの寄与分を含んだ合成信号における大電力の信号から干渉を除去する方法であって、前記複数の信号は、干渉を及ぼすユーザからの大電力の信号、前記所与のユーザからの前記小電力の信号及び前記所与のユーザからの前記大電力の信号を含み、
前記方法は、
前記所与のユーザの前記大電力の信号だけを初期復調（１３２）し、前記所与のユーザの前記大電力の信号の寄与分を、受信した前記合成信号から取り除くステップと、
前記干渉を及ぼすユーザからの大電力の信号だけを復調し、前記干渉を及ぼすユーザからの大電力の信号を正しく受信できたか否かを判定するステップ（１３４）と
前記干渉を及ぼすユーザからの大電力の信号を正しく受信できなかったと判定されたときに、
・前記干渉を及ぼすユーザからの大電力の信号に関連した干渉統計値を推定するステップ（１３６）と、
・前記干渉統計値を使用して、前記所与のユーザからの前記小電力の信号を復調する際に前記干渉を及ぼすユーザからの大電力の信号を抑圧するステップ（１３７）と、
前記干渉を及ぼすユーザからの大電力の信号を正しく受信できたと判定されたときに、
・受信した前記合成信号から前記干渉を及ぼすユーザからの大電力の信号の寄与分を取り除くステップ（１３８）と、
・残っている干渉に関連した干渉統計値を推定するステップ（１４０）と、
・推定された前記干渉統計値を使用して、前記所与のユーザからの前記小電力の信号を復調する際に前記残っている干渉を抑圧するステップ（１４１）と
を含むことを特徴とする方法。
【請求項１０】
受信機において、受信電力レベルが変動する複数の信号からの寄与分を含んだ合成信号における電力が最大の電力の信号から干渉を除去する方法であって、前記電力が最大の信号は、自動再送要求（ＡＲＱ）を使用して、正しく受信されなかったデータパケットを再送するデータ伝送プロトコルに準拠して送信された信号であり、
前記方法は、
電力が最大のデータパケットだけを復調するステップ（１４３）と
前記ＡＲＱを処理した後で、電力が最大のデータパケットを正しく受信できたか否かを判定するステップ（１４４）と、
前記電力が最大のデータパケットを正しく受信できたと判定されたときは、前記電力が最大のデータパケットに関連した複数回のＡＲＱによる再送信からのすべての寄与分を前記合成信号から取り除くステップ（１４５）と
を含むことを特徴とする方法。
【請求項１１】
Ｇ−Ｒａｋｅ受信機のパラメータを調整することで電力が最大のデータパケットの寄与分を除外するステップ（１４６）と、
前記残りの干渉に関連した干渉統計値を推定するステップ（１４７）と、
推定された前記干渉統計値を使用して前記残りの干渉から信号を抑圧するステップ（１４８）と
を含むことを特徴とする請求項１０に記載の方法。
【請求項１２】
前記電力が最大のデータパケットが正しく受信されなかったと判定されたときに、再送された電力が最大のデータパケットを正しく受信できたか否かを判定するステップ（１５４）と、
前記再送された電力が最大のデータパケットも正しく受信されなかったと判定されたときに、追加でさらに再送された電力が最大のデータパケットを、同時並行して送信された音声フレームが終了する前に受信できたか否かを判定するステップ（１４９、１５０）と、
前記同時並行して送信された音声フレームが終了する前に前記追加でさらに再送された電力が最大のデータパケットを受信できたときには、前記追加でさらに再送された電力が最大のデータパケットの一つを正しく受信できたか否かを判定するステップ（１５４）と、
前記追加でさらに再送された電力が最大のデータパケットの一つを正しく受信できたときは、さらなる処理を続行するのに先立って、電力が最大の最初のデータパケットの寄与分、再送されて正しく受信された前記電力が最大のデータパケット、及び、干渉となっているいずれかの再送された電力が最大のデータパケットを前記合成信号から取り除くステップ（１５５）と
をさらに含むことを特徴とする請求項１０に記載の方法。
【請求項１３】
再送された電力が最大のデータパケットが正しく受信される前に、前記現在の音声フレームが終了したときに、
前記方法は、
前記合成信号に内包されている前記電力が最大のデータパケットの寄与分を維持するステップ（１５１）と、
前記電力が最大のデータパケットに関連した干渉統計値を推定するステップ（１５２）と、
推定された前記干渉統計値を使用して前記電力が最大のデータパケットを抑圧するステップ（１５３）と
をさらに含むことを特徴とする請求項１２に記載の方法。
【請求項１４】
前記再送された電力が最大のデータパケットが正しく受信されなかったときに、
前記電力が最大の最初のデータパケットに含まれているいくつかのビットと前記再送された電力が最大のデータパケットに含まれているいくつかのビットとが一致するか否かを判定するステップ（１７４）と、
前記いくつかのビットが一致するときに、さらなる処理に先立って、該いくつかのビットを減算するステップ（１７５）と
をさらに含むことを特徴とする請求項１０に記載の方法。
【請求項１５】
一致した前記いつかのビットを減算した後で、
前記一致したいくつかのビットのパーセンテージが所定の閾値を超えているか否かを判定するステップ（１７６）と、
前記一致したいくつかのビットのパーセンテージが所定の閾値を超えているときに、さらなる処理に先立って、一致しなかったビットを軟減算するステップ（１７８）と
をさらに含むことを特徴とする請求項１４に記載の方法。
【請求項１６】
前記一致したいくつかのビットのパーセンテージが所定の閾値を超えていないときに、
前記合成信号において一致していなかったビットを維持するステップ（１７７）と、
前記電力が最大のデータパケットにおいて前記一致しなかったビットに関連した干渉統計値を推定するステップ（１７０）と、
推定された前記干渉統計値を使用して、前記減算が適用されなかった位置で前記力が最大のデータパケットを抑圧するステップ（１７１）と
をさらに含むことを特徴とする請求項１５に記載の方法。
【請求項１７】
無線受信機において使用され、第１のユーザ信号からの寄与分と第２ユーザからの信号の寄与分とを含む合成信号に内包されて受信された該第１のユーザ信号から干渉を除去する装置であって、
高速データレートの前記第１のユーザ信号だけを復調する手段（５１）と、
前記第１のユーザ信号が正しく受信されたか否かを判定する誤り検出機構（５２）と、
前記第１のユーザ信号が正しく受信されたと判定されたときにだけ前記合成信号から前記第１のユーザ信号の寄与分のすべてを減算する減算手段（５３）と
を含むことを特徴とする装置。
【請求項１８】
前記第１のユーザ信号は相対的に大電力の信号であり、前記第２のユーザ信号は該第１のユーザ信号の電力と比較して相対的に小電力の信号であることを特徴とする請求項１７に記載の装置。
【請求項１９】
前記誤り検出機構は、
前記第１のユーザ信号について巡回冗長検査（ＣＲＣ）のチェックサムを生成する手段と、
前記第１のユーザ信号についての前記ＣＲＣのチェックサムが正しいか否かを判定する手段と
を含むことを特徴とする請求項１８に記載の装置。
【請求項２０】
前記ＣＲＣのチェックサムは複数のビットを含み、各ビットは値を有し、
前記減算手段は、
前記チェックサムに含まれているすべてのビットが正しい値であることを示す指示を前記誤り検出手段が出力したことに応答して、受信した前記合成信号から前記第１のユーザ信号の寄与分を硬減算する硬減算手段と、
前記チェックサムに含まれているビットのいくつかが正しい値でないことを示す指示を前記誤り検出手段が出力したことに応答して、受信した前記合成信号から前記第１のユーザ信号の寄与分を軟減算する軟減算手段と
を含むことを特徴とする請求項１９に記載の装置。
【請求項２１】
前記第１のユーザ信号と前記第２のユーザ信号とも単一のユーザに属した信号であり、該単一のユーザは、大電力で高速データレートチャネルと相対的に小電力でチャネルとを送信しているユーザであり、
前記装置は、
前記大電力の高速データレートチャネルの信号を再符号化してシンボルを生成するエンコーダ（１０２）と、
前記大電力の高速データレートチャネルの信号のシンボルをパイロットシンボルとして利用して、前記大電力の高速データレートチャネルを送信したユーザと同一のユーザから送信されてきた前記小電力のチャネルの信号を検出するのに役立てるためにチャネル係数の推定値を改善するチャネル推定器（１０３）と
をさらに含むことを特徴とする請求項１８に記載の装置。
【請求項２２】
前記無線受信機は汎用ＲＡＫＥ（Ｇ−Ｒａｋｅ）受信機であって、前記合成信号は、受信電力レベルが変動する複数の信号からの寄与分を含んでおり、前記第１のユーザ信号は前記複数の信号のうちで電力が最大の信号であり、
前記装置は、
前記Ｇ−Ｒａｋｅ受信機のパラメータを調整して前記第１のユーザ信号を除外する手段と、
残っている干渉に関連した干渉統計値を推定する手段と、
前記干渉統計値を使用して前記残っている干渉を抑圧する手段と
を含むことを特徴とする請求項１７に記載の装置。
【請求項２３】
受信機において、受信電力レベルが変動する複数の信号からの寄与分を含んだ合成信号において電力が最大の信号から干渉を除去する装置であって、前記電力が最大の信号は、自動再送要求（ＡＲＱ）を使用して、正しく受信されなかったデータパケットを再送するデータ伝送プロトコルに準拠して送信された信号であり、
前記装置は、
電力が最大のデータパケットだけを復調する手段（５１）と、
前記ＡＲＱを処理した後で、電力が最大のデータパケットを正しく受信できたか否かを判定する誤り検出手段（５２）と、
前記電力が最大のデータパケットを正しく受信できたことを示す指示が前記誤り検出手段から出力されたことに応答して、前記電力が最大のデータパケットに関連した複数回のＡＲＱによる再送信からの寄与分を前記合成信号から減算する減算手段（７１）と
を含むことを特徴とする装置。
【請求項２４】
前記受信機は、汎用ＲＡＫＥ（Ｇ−Ｒａｋｅ）受信機であって、
前記装置は、
前記Ｇ−Ｒａｋｅ受信機のパラメータを調整することで電力が最大のデータパケットの寄与分を除外する手段と、
前記残りの干渉に関連した干渉統計値を推定する統計値推定器と、
推定された前記干渉統計値を使用して前記残りの干渉から信号を抑圧する干渉抑圧手段と
をさらに含むことを特徴とする請求項２３に記載の装置。
【請求項２５】
再送された前記電力が最大のデータパケットが正しく受信されなかったことを示す指示が前記誤り検出手段から出力されたことに応答して、電力が最大の最初のデータパケットに含まれているいくつかのビットと前記再送された電力が最大のデータパケットに含まれているいくつかのビットとが一致するか否かを判定するビット比較手段と、
前記いくつかのビットが一致したことを示す指示を前記ビット比較手段が出力したことに応答して、さらなる処理に先立って、一致した該いくつかのビットを減算する減算手段と
をさらに含むことを特徴とする請求項２３に記載の装置。
【請求項２６】
前記ビット比較手段は、
前記一致したいくつかのビットのパーセンテージが所定の閾値を超えているか否かを判定する手段と、
前記一致したいくつかのビットのパーセンテージが所定の閾値を超えていることを示す指示を前記ビット比較手段が出力したことに応答して、さらなる処理に先立って、一致しなかったビットを軟減算する軟減算手段と
をさらに含むことを特徴とする請求項２５に記載の装置。
【請求項２７】
前記受信機は、汎用ＲＡＫＥ（Ｇ−Ｒａｋｅ）受信機であって、
前記装置は、
前記電力が最大のデータパケットにおいて一致しなかったビットに関連した干渉統計値を推定する統計値推定器と、
推定された前記干渉統計値を使用して、前記減算が適用されなかった位置で前記電力が最大のデータパケットを抑圧する干渉抑圧手段と
をさらに含むことを特徴とする請求項２６に記載の装置。
【国際調査報告】
2008537436.tif 000021
2008537436.tif 000022
2008537436.tif 000023
2008537436.tif 000024
2008537436.tif 000025